(57)【特許請求の範囲】
【請求項１】
上面に開口部を有する本体容器と、前記本体容器の前記開口部を覆う蓋部材と、を有し、
前記本体容器の側壁下端部と底面部との間に蛇腹状の屈曲部を有していて、
前記側壁下端部には容器内方に突出する凹み部を有しており、
前記凹み部が少なくとも２つ設けられており、
前記屈曲部が、前記側壁下端部から前記底面部にかけて、角度調整部、折り返し部、突出部の順に折り部を介して連接されてなり、
前記折り返し部の垂直方向に対する傾きをα、前記突出部の垂直方向に対する傾きをβとした場合のαとβの関係がα＞βとなり、
前記折り返し部の垂直方向に対する傾きαが４５度以上であり、
前記屈曲部は前記凹み部よりも下方に位置することを特徴とする可変容量容器。
【発明の詳細な説明】
【技術分野】
【０００１】
本発明は、内容量を変化させることが可能な可変容量容器に関する。
【背景技術】
【０００２】
従来、輸送コスト低減を目的として、輸送時には容積を小さく使用時には容積を大きくして様々な内容物を収容可能にする種々の可変容量容器が提案されてきた（例えば、特許文献１）。
【０００３】
特許文献１における可変容量容器は、底の浅い有底筒状の周面上縁部に螺旋状の折線を有する伸縮部を有する伸縮自在容器である。当該伸縮自在容器は、行楽等で持ち運びする際の利便性を課題としており、伸縮部を縮ませた状態の時には何も収容しないか嵩張らないインスタント飲料用粉末等を収容することが想定されている。
【０００４】
特許文献１のような可変容量容器では、伸縮部を縮ませて持ち運びする時には喫食できる状態の飲食物が入れられないため、可変容量容器とは別の容器に飲食物を入れたり、インスタント飲料用粉末等のみを可変容量容器に収容して、当該粉末を飲料とするための水は別の容器に入れたりする必要があった。
このため、特許文献１のような可変容量容器の用途は行楽等で用いる取り分け時の深皿用に限られてしまっていた。
【０００５】
そこで、最小嵩状態でも飲食物を収納可能とした可変容量容器として、特許文献２のような容器も提案されてきた。
特許文献２における可変容量容器は、カップ状容器の周壁部に周回する２本の水平な屈曲部が高さ違いで設けられていて、容器の底部を下から押し込むと２本の屈曲部に挟まれた領域が容器内側に反転して折り込まれることにより、底部の底面が上方の屈曲部とほぼ同じ高さになるまで折り畳まれ、容器嵩を小さくすることが可能となる。
【０００６】
ここで、特許文献２における可変容量容器の容器嵩を大きくする際には、底部付近の底周壁部を把持して下方に引き出す必要がある。このとき、２本の屈曲部に挟まれて容器内側に反転して折り込まれた反転周壁部と底周壁部との間に指を入れることにより底周壁部を把持することが可能となる。
しかし、確実に下方に引き出すために、当該反転周壁部と当該底周壁部との間に指を奥まで入れようとしても、反転周壁部と底周壁部とは上方で屈曲部により連接しているため指をしっかりと挿入することができなかった。その結果、底部を引き出すことが出来ずに容量が小さいままでの使用を余儀なくされたり、引き出せたとしても、水平に引き出せずに底部が斜めになってしまい内容物がこぼれてしまったりする問題があった。
【０００７】
ところで、近年の飲食の傾向の１つとして、調味料等を別包装で添付しておいて飲食直前に当該調味料等を飲食物に添加することにより手軽な食材に高級感を付加した飲食物が流通している。この例としては、プリンに別添のカラメルソースをかけたり、ヨーグルトに別添のグラノーラ等を乗せたりして飲食するようなものが挙げられる。
この場合、各地方自治体で条例や条例施工規則等により規定された適正包装に基づき、プリンやヨーグルトが入っている容器は別添材料を含めない内容物の容量で適正包装されているため、飲食時に別添材料を乗せる空間が残されていないことがある。
【０００８】
このような飲食物を食する飲食者は、別添材料がこぼれないようにごく少量を添加するか、飲食物の内容量をある程度減らしてから別添材料を添加するか、若しくは、別添材料
を加えた内容量を収容することが可能な別容器に飲食物を移してから別添材料を添加するか、の選択を迫られることになる。
【０００９】
しかし、ごく少量を添加する場合や最初に飲食物の内容量を減らす場合では飲食者が期待する高級感が薄れてしまい、別容器に移す場合には１つの飲食物で２つの容器を使用することになるため不経済であるだけでなく、手軽に食べられるという利点を減退させることにもなってしまっていた。
【００１０】
公知文献を以下に示す。
【先行技術文献】
【特許文献】
【００１１】
【特許文献１】実開昭５８−０１４３５３号公報
【特許文献２】特公平０４−０７６８７０号公報
【発明の概要】
【発明が解決しようとする課題】
【００１２】
本発明は上記のような事情に鑑みてなされたもので、最小嵩でも飲食物を収容することが可能で、飲食時には容易に容量を大きくすることにより別添材料を添加してもこぼれる虞がない可変容量容器を提供することを課題とする。
【課題を解決するための手段】
【００１３】
本発明は係る課題に鑑みなされたものであり、本発明の可変容量容器は、上面に開口部を有する本体容器と、前記本体容器の前記開口部を覆う蓋部材と、を有し、前記本体容器の側壁下端部と底面部との間に蛇腹状の屈曲部を有していて、前記側壁下端部には容器内方に突出する凹み部を有することを特徴とする。
【００１４】
また、本発明の可変容量容器の前記凹み部は少なくとも２つ設けられている。
【００１５】
また、本発明の可変容量容器の前記屈曲部は、前記側壁下端部から前記底面部にかけて、角度調整部、折り返し部、突出部の順に折り部を介して連接されている。
【００１６】
また、本発明の可変容量容器は、前記折り返し部の垂直方向に対する傾きをα、前記突出部の垂直方向に対する傾きをβとした場合のαとβの関係がα＞βとなっている。
このとき、前記折り返し部の垂直方向に対する傾きαを４５度以上としている。
【００１７】
また、本発明の可変容量容器の前記屈曲部は前記凹み部よりも下方に位置している。
【００１８】
また、本発明の可変容量容器の前記角度調整部は前記側壁下端部と同一面であっても良く、このとき、前記凹み部は前記角度調整部に設けられていても良い。
【発明の効果】
【００１９】
本発明の可変容量容器は、前記本体容器の側壁下端部と底面部との間に蛇腹状の屈曲部を有していて、かつ、前記側壁下端部には容器内方に突出する凹み部を有する構成とすることにより、前記凹み部を押圧するだけで蛇腹状の前記屈曲部が下方に伸びるため、容易に前記底面部を下方に移動することが可能である。このような構成とすることにより、容量を大きくする際にも特許文献２の容器のように屈曲部に指を挿入して引き出す必要が無いため、底部を引き出すことが出来ずに容量が小さいままでの使用を余儀なくされるとい
う問題が解消される。これにより、容易に容量を大きくすることができ、別添材料を添加してもこぼれる虞が無い可変容量容器を提供することが可能となる。
また、前記側壁下端部と前記底面部との間の前記屈曲部を曲げ伸ばしするだけで容量を変化させることができるため、前記屈曲部を曲げた最小嵩の状態でも飲食物を収容することが可能となる。
【００２０】
また、本発明の可変容量容器の前記凹み部は少なくとも２つ設けられていることにより、全周に亘って前記屈曲部を伸ばす力を加えることが可能となるため、水平に伸ばせずに底部が斜めになってしまい内容物がこぼれてしまうという問題が解消する。
【００２１】
また、前記屈曲部を、前記側壁下端部から前記底面部にかけて、角度調整部、折り返し部、突出部の順に折り部を介して連接される構成とすることにより、前記凹み部に加えられた力を前記角度調整部が前記折り返し部に確実に伝えることが可能となる。このとき、前記折り返し部は下方向に大きな力を受けることにより、前記折り返し部が反転すると共に前記突出部を下方に押し出す。これにより、前記屈曲部を容易に下方へ伸ばすことが可能となる。
【００２２】
また、前記折り返し部の垂直方向に対する傾きをα、前記突出部の垂直方向に対する傾きをβとした場合のαとβの関係をα＞βとすることにより、前記折り返し部が下方向へと動く力を得やすくなるため、前記屈曲部の下方への伸ばしをより容易に行うことが可能となる。
【００２３】
また、前記折り返し部の垂直方向に対する傾きαを４５度以上とすることにより、前記角度調整部を通じて得た外力を、横方向よりも下方向へ動く力が大きくなるように変換することが可能となるため、前記折り返し部を下方向へ容易に反転させることが可能となる。
【００２４】
また、前記屈曲部を前記凹み部よりも下方に位置するように構成することにより、前記屈曲部よりも上に十分な空間を有するため、前記屈曲部を曲げた最小嵩の状態でも十分な量の飲食物等の内容物を収容することが可能となる。また、前記凹み部に加えられた力を下方向に作用する力として前記屈曲部に伝えることが可能となるため、前記屈曲部の下方への伸ばしをより確実に行うことが可能となる。
【００２５】
また、前記角度調整部を前記側壁下端部と同一面とした場合には、前記側壁下端部と前記角度調整部とが間に別の面を介すこと無く直接一体となっているため、前記凹み部及び前記側壁下端部に加えられた力を、より低減させることなく前記折り返し部に伝えることが可能となる。これにより、前記屈曲部の下方への伸ばしをより小さな力で行うことが可能となる。
このとき、外力を加える前記凹み部が前記角度調整部に設けられていると、当該外力をより低減させることなく前記折り返し部に伝えることが可能となり、前記屈曲部の下方への伸ばしを小さな力でより確実に行うことが可能となる。
【図面の簡単な説明】
【００２６】
【図１】本発明の可変容量容器の第１の実施形態における最小嵩の状態を模式的に示した説明図である。（ａ）は開封前の状態を斜め上方から見た斜面図、（ｂ）は（ａ）の容器の上下を逆さにして斜め上方から見た斜面図である。
【図２】本発明の可変容量容器の本体容器の第１の実施形態を模式的に示した説明図である。（ａ）は最小嵩の状態を斜め上方から見た斜面図、（ｂ）は最大嵩の状態を斜め上方から見た斜面図である。
【図３】本発明の可変容量容器の本体容器の第１の実施形態における最小嵩の状態の断面図を模式的に示した説明図である。
【図４】本発明の可変容量容器の第１の実施形態における側壁下端部から底面部までの部分を拡大して模式的に示した拡大部分説明図である。
【図５】本発明の可変容量容器の本体容器の第１の実施形態における最大嵩の状態の断面図を模式的に示した説明図である。
【図６】本発明の可変容量容器の本体容器の第２の実施形態における最小嵩の状態の断面図を模式的に示した説明図である。
【発明を実施するための形態】
【００２７】
＜第１の実施形態＞
以下、本発明を実施するための第１の実施形態につき図１〜図５を参照して説明する。
【００２８】
第１の実施形態の可変容量容器１は、上面に開口部２０を有するカップ状の本体容器２と、本体容器２の開口部２０を覆う蓋部材３と、を有する。蓋部材３は開口部２０の周縁に位置するフランジ部２０ａで本体容器２と熱融着している。
【００２９】
蓋部材３は例えば、外層と内層の２層を含む積層体であり、当該内層の材料は熱融着されるフランジ部２０ａの面の材質に合わせて適宜選択することが可能である。
なお、図１（ａ）に示すように、蓋部材３の一部をフランジ部２０ａの外方に突出させて蓋部材３を剥離する際のタブ３１とすることにより蓋部材３の剥離を容易に開始することが可能となるため、蓋部材３はタブ３１を有する構造とすることが好ましい。
【００３０】
本体容器２の材料としては、飲食物等の内容物を保持できる程度の強度と、容量を可変にするための動きを可能にする柔軟性とを併せ持っているものであれば良く、例えば、プラスチックシートを真空圧空等の方法で成形したシート成形や、インジェクション成形、ブロー成形などによるプラスチックの成形品、あるいは、紙を基材としてプラスチック、アルミ箔他とラミネートされた材料で出来た、紙カップ、紙トレイ等の紙容器などを使用することができる。
【００３１】
本体容器２の側壁下端部２１には容器内方に突出する凹み部２２が設けられていて、側壁下端部２１と底面部２４との間には蛇腹状の屈曲部２３が設けられている。このような構成とすることにより、凹み部２２を内方に押圧することにより屈曲部２３が下方に押し伸ばされて本体容器２の容量を大きくすることが可能となる。
【００３２】
凹み部２２の大きさは指（特に親指若しくは人差し指）の指先第１間接分程度が収まる大きさがあれば良く、形状も特に限定されない。図１においては円弧状の外形を有しているが、これに限らず、例えば、略四角形状でも良いし、波線等を含めた複雑な形状としても良い。
凹み部２２の形成方法としては、側壁の厚さを薄くして外側表面を凹ませるのでも良いし、側壁の厚さは同じままで容器内方に突出するように凹ませるのでも良い。また、側壁の厚さを薄くした上でさらに側壁の内側も容器内方に突出するようにしても良い。
【００３３】
また、凹み部２２の数は、本実施形態では図１に示すように前面に２つ及び図示しない後面に２つの合計４つ設けているが、少なくとも２つ形成されていれば良く、数の上限は特に無い。しかし、凹み部２２の数が多すぎると、側壁下端部２１のほぼ全周に凹み部２２が設けられることになってしまい外観の美しさが損なわれるだけでなく、使用者が凹み部２２を単なるデザインだと認識してしまい可変容量という機能に気づかない虞も生じてしまうことが考えられる。そのため、凹み部２２の数は多くても６つ、好ましくは４つ程度とすることが望ましい。
【００３４】
屈曲部２３は、図１（ｂ）に示すように、側壁下端部２２側から順番に、角度調整部２３ａ、折り返し部２３ｂ、及び突出部２３ｃが折り部を介して連接されてなり、突出部２３ｃは底面部２４に連接している。角度調整部２３ａは、凹み部２２を介して角度調整部２３ａに加えられた力の方向を修正して折り返し部２３ｂに伝える役割を果たすため、側壁下端部２２を含む側壁がどのような形状や傾きを持っていても、確実に屈曲部を下方に伸ばすことが可能となる。
【００３５】
本体容器２が最小嵩の状態では、図１（ｂ）、図２、図３に示すように、側壁下端部２１より下方に角度調整部２３ａが設けられ、角度調整部２３ａと折り返し部２３ｂの間の折り部２５ａを底辺として折り返し部２３ｂが内側上方に接続されていて、折り返し部２３ｂと突出部２３ｃの間の折り部２５ｂを上辺として突出部２３ｃが内側下方に接続され、突出部２３ｃの折り返し部２３ｂとは反対側の端面が本体容器２の底面部２４と接続している。
この状態で凹み部２２を内方へ押圧すると、図２（ｂ）、図５に示すように、折り返し部２３ｂが下方に反転するように押し伸ばされて底面部２４が下方に移動することにより、本体容器２の容量を大きくすることが可能となる。
【００３６】
以下、凹み部２２を押圧することにより屈曲部２３が下方へ伸ばされる構造について、図３、４を参照して詳細に説明する。
【００３７】
図４に示すように、凹み部２２を外方（図４での左）から内方（図４での右）へ押圧すると、凹み部２２を有する側壁下端部２１と一続きの角度調整部２３ａが、角度調整部２３ａと折り返し部２３ｂの間の折り部２５ａを支点として内方（図４でのＦ１の方向）に動く。
【００３８】
角度調整部２３ａがＦ１方向に動くと、角度調整部２３ａと折り返し部２３ｂの間の折り部２５ａに軋みが生じるため、折り返し部２３ｂは当該軋みを解消するために、角度調整部２３ａと折り返し部２３ｂの間の折り部２５ａを支点として、折り返し部２３ｂと突出部２３ｃの間の折り部２５ｂを内側下方に移動させるように回動する。
この回動が進むと折り返し部２３ｂと突出部２３ｃの間の折り部２５ｂの折り曲げが解消されることにより、突出部２３ｃが下方へ突出する。これにより屈曲部２３が下方へ伸ばされて最大嵩の状態となる。
【００３９】
なお、本体容器２に飲食物等の内容物が収容されている状態であれば、当該内容物がゲル状若しくは固体であれば特に、凹み部２２及び角度調整部２３ａの動きが当該内容物を介して折り返し部２３ｂに伝わるため、折り返し部２３ｂ全体を下方へと押し出す力が働き、より容易に屈曲部２３を下方へ伸ばすことが可能となる。
【００４０】
ここで、角度調整部２３ａは垂直に近い状態であることが好ましい。これは、角度調整部２３ａと折り返し部２３ｂの間の角度が鋭角になるため、凹み部２２を押圧して角度調整部２３ａをＦ１方向に動かした時に角度調整部２３ａと折り返し部２３ｂの間の折り部２５ａに生じる軋みが大きくなり、折り返し部２３ｂを反転させる力を大きくすることが可能となるため、より確実に屈曲部２３を下方へ伸ばすことが出来るようになるからである。
本体容器２に内容物が収容されている場合も同様に、角度調整部２３ａが垂直に近い状態である方が、水平なＦ１方向に付加された力を他の方向に分散することなくそのまま折り返し部２３ｂに伝えることが可能となるため、より確実かつ容易に屈曲部２３を下方へ伸ばすことが可能となる。
具体的には、角度調整部２３ａの垂直方向に対する傾きγは３０度以内とすることが望ましい。
【００４１】
また、折り返し部２３ｂの垂直方向に対する傾きをα、突出部２３ｃの垂直方向に対する傾きをβとした場合のαとβの関係は、α＞βのようにすることが好ましい。
【００４２】
αをβよりも大きくすることにより、折り返し部２３ｂはなだらかに折り込まれた状態となるため、凹み部２２を押圧した力が折り返し部２３ｂに加わったときに容易に下方へ移動及び反転することが出来るようになる。
【００４３】
また、折り返し部２３ｂの垂直方向に対する傾きαは具体的には４５度以上であることが好ましい。αが４５度未満では、折り返し部２３ｂの傾きが大きくなるため、屈曲部２３を下方へ伸ばすためにはかなり大きな力で押圧することとなり、屈曲部２３を伸ばすことができない虞が生じてしまう。αが４５度以上であれば折り返し部２３ｂがなだらかに折り込まれた状態となるため、上述の効果が得られる。なお、αは６０度以上であることがより好ましい。
【００４４】
また、突出部２３ｃの垂直方向に対する傾きβはαよりも小さな角度であれば良いが、好ましくは４０度以下であると良い。βが４０度よりも大きいと、特に屈曲部２３を伸ばして最大嵩となった状態の容器において底面部２４から立ち上がる部分の傾きが小さくなるため、開口部２０の面積に対して底面部２４の面積が小さくなってしまい、安定して支えることが出来なくなってしまう虞がある。
【００４５】
上述のように屈曲部２３を伸ばして容量を大きくすることが可能な可変容量容器１において、屈曲部２３は凹み部２２よりも下方に位置することが望ましい。
これは、１つには、凹み部２２すなわち側端下端部２１を屈曲部２３よりも上に設けることにより、内容物を収容する十分な空間を屈曲部２３より上に有することが出来るため、屈曲部２３を曲げた最小嵩の状態でも十分な量の飲食物等の内容物を収容することが可能となるからである。また、凹み部２２に加えられた力を下方向に作用する力として屈曲部２３に伝えることが可能となるため、屈曲部２３の下方への伸ばしをより確実に行うことが可能となる効果も奏する。
【００４６】
本実施形態の可変容量容器１を用いて飲食する場合、飲食者はまず、蓋部材３のタブ３１を把持して蓋部材３を上方に引き上げることにより、蓋部材３を本体容器２上から取り除く。そして、別添材料を加える等容器の容量を大きくする必要が生じた場合には、４箇所の凹み部２２に例えば両手の親指及び人差し指を当てて凹み部２２を内方に押し込む。このとき、手指を当てる場所を４箇所全てとはせずに片手の親指及び人差し指を２箇所の凹み部２２に当てて押し込むのでも良い。
凹み部２２を押し込まれた本体容器２は、角度調整部２３ａを介してその力が折り返し部２３ｂに伝えられることにより、折り返し部２３ｂが反転し突出部２３ｃが下方に突き出されて最大嵩の状態とする。
【００４７】
なお、飲食が進み、容量を大きくしておく必要がなくなった場合には屈曲部２３を元の状態に戻すことも可能である。この場合には、底面部２４に手のひらを押し当ててそのまま上方に力を加える。
これにより、突出部２３ｃが上方に押し上げられるため、折り返し部２３ｂと突出部２３ｃの間の折り部２５ｂが折り曲げられると同時に折り返し部２３ｂが上方に反転する。このようにして本体容器２を再び最小嵩の状態に戻すことができる。
【００４８】
本実施形態の本体容器２であれば、必要なときには凹み部２２を押すだけの簡易な動作で容易に容量を大きくし、また、容量を大きくする必要が無くなったときには最小嵩の状態に容易に戻すことが可能であるため、飲食者が快適に飲食を行うことが可能となる。
【００４９】
＜第２の実施形態＞
以下、本発明を実施するための第２の実施形態につき図６を参照して説明する。
【００５０】
第２の実施形態の本体容器２００は、角度調整部２３ａを側壁下端部２１と同一面とし、凹み部２２は角度調整部２３ａに設けたこと以外は第１の実施形態の本体容器２と同様である。また、蓋部材３も第１の実施形態と同様である。
【００５１】
側壁下端部２１が第１の実施形態における角度調整部２３ａに求められる要素を兼ね備えている本体容器２００においては、側壁下端部２１と角度調整部２３ａとを分ける必要がなく、同一面とすることが可能となる。
具体的には、垂直に近い状態、好ましくは垂直方向に対する傾きが３０度以内の平面であり、図６に示すように、その下端で折り返し部２３ｂと折り部２５ａを介して連接していれば良い。
【００５２】
凹み部２２を外方から内方へ押圧すると、凹み部２２を有する角度調整部２３ａが、角度調整部２３ａと折り返し部２３ｂの間の折り部２５ａを支点として内方に動く。
【００５３】
角度調整部２３ａが内方に動くと、角度調整部２３ａと折り返し部２３ｂの間の折り部２５ａに軋みが生じるため、折り返し部２３ｂは当該軋みを解消するために、角度調整部２３ａと折り返し部２３ｂの間の折り部２５ａを支点として、折り返し部２３ｂと突出部２３ｃの間の折り部２５ｂを内側下方に移動させるように回動する。
この回動が進むと折り返し部２３ｂと突出部２３ｃの間の折り部２５ｂの折り曲げが解消されることにより、突出部２３ｃが下方へ突出する。これにより屈曲部２３が下方へ伸ばされて最大嵩の状態となる。
【００５４】
なお、本体容器２００に飲食物等の内容物が収容されている状態であれば、当該内容物がゲル状若しくは固体であれば特に、凹み部２２及び角度調整部２３ａの動きが当該内容物を介して折り返し部２３ｂに伝わるため、折り返し部２３ｂ全体を下方へと押し出す力が働き、より容易に屈曲部２３を下方へ伸ばすことが可能となる。
【００５５】
本実施形態の本体容器２００を用いた可変容量容器１を用いて飲食する場合、飲食者はまず、蓋部材３のタブ３１を把持して蓋部材３を上方に引き上げることにより、蓋部材３を本体容器２００上から取り除く。そして、別添材料を加える等容器の容量を大きくする必要が生じた場合には、４箇所の凹み部２２に例えば両手の親指及び人差し指を当てて凹み部２２を内方に押し込む。このとき、手指を当てる場所を４箇所全てとはせずに片手の親指及び人差し指を２箇所の凹み部２２に当てて押し込むのでも良い。
凹み部２２を押し込まれた本体容器２は、角度調整部２３ａを介してその力が折り返し部２３ｂに伝えられることにより、折り返し部２３ｂが反転し突出部２３ｃが下方に突き出されて最大嵩の状態とする。
【００５６】
なお、飲食が進み、容量を大きくしておく必要がなくなった場合には屈曲部２３を元の状態に戻すことも可能である。この場合には、底面部２４に手のひらを押し当ててそのまま上方に力を加える。
これにより、突出部２３ｃが上方に押し上げられるため、折り返し部２３ｂと突出部２３ｃの間の折り部２５ｂが折り曲げられると同時に折り返し部２３ｂが上方に反転する。このようにして本体容器２００を再び最小嵩の状態に戻すことができる。
【００５７】
本実施形態の本体容器２００であれば、必要なときには凹み部２２を押すだけの簡易な動作で容易に容量を大きくし、また、容量を大きくする必要が無くなったときには最小嵩
の状態に容易に戻すことが可能であるため、飲食者が快適に飲食を行うことが可能となる。
【符号の説明】
【００５８】
１・・・可変容量容器
２、２００・・・本体容器
２０・・・開口部
２０ａ・・・フランジ部
２１・・・側壁下端部
２２・・・凹み部
２３・・・屈曲部
２３ａ・・・角度調整部
２３ｂ・・・折り返し部
２３ｃ・・・突出部
２４・・・底面部
３・・・蓋部材
３１・・・タブ
【図１】
0006728791.tif 000002
【図２】
0006728791.tif 000003
【図３】
0006728791.tif 000004
【図４】
0006728791.tif 000005
【図５】
0006728791.tif 000006
【図６】
0006728791.tif 000007